(57)【特許請求の範囲】
【請求項１】
ケース(1)に回転自在に設けられた回転軸(4)を回転することにより、前記ケース(1)内に設けられた固定接片(2)と前記回転軸(4)に設けられた可動接片との接続を切り換えるようにしたロータリースイッチにおいて、前記回転軸(4)に同軸配置され前記回転軸(4)と共に回転すると共に軸方向には前記回転軸(4)に対して相対移動する筒状副軸(7)と、前記回転軸(4)に対して筒状副軸(7)を復帰させるためのばね(8)と、前記筒状副軸(7)の端部に形成された複数のカム部(7b)と、前記カム部(7b)と当接する固定配置のストッパ(6)とを備え、前記筒状副軸(7)を押入しない状態では前記各カム部(7b)間の角度分のみ前記筒状副軸(7)と共に前記回転軸(4)が回転でき、前記筒状副軸(7)を押入した状態では前記各カム部(7b)とストッパ(6)との当接が解除されて前記筒状副軸(7)と共に回転軸(4)が回転できる構成としたことを特徴とするプッシュロータリースイッチ。
【請求項２】
前記ストッパ(6)は前記ケース(1)に設けられていることを特徴とする請求項１記載のプッシュロータリースイッチ。
【請求項３】
前記ケース(1)に固定され他のスイッチと連結するための連結部材(3)を有し、前記ストッパ(6)は前記連結部材(3)に設けられていることを特徴とする請求項１記載のプッシュロータリースイッチ。
【発明の詳細な説明】
【０００１】
【発明の属する技術分野】
本発明は、プッシュロータリースイッチに関し、特に、プッシュ動作をしない時は各カム部間の角度範囲のみ回転軸を回転させてスイッチングを行い、プッシュ動作時には自在に回転させてスイッチングを行うことができるようにするための新規な改良に関する。
【０００２】
【従来の技術】
従来のプッシュロータリースイッチは、例えば１例として図示していないが、回転軸にクラッチが設けられており、回転軸を押入してクラッチがオンとなった時にのみ回転軸の回転によってスイッチング動作を行うことができるように構成され、回転軸を押入しない場合には回転軸は自由回転でき、スイッチング動作は行われないように構成されている。
【０００３】
【発明が解決しようとする課題】
従来のプッシュロータリースイッチは、以上のように構成されていたため、次のような課題が存在していた。すなわち、回転軸を非押入時には回転軸はフリー回転となり何らのスイッチング動作も行えないため、非押入時にも限定された角度範囲内のスイッチング動作を行いたいとする要求には応じることができなかった。
【０００４】
本発明は、以上のような課題を解決するためになされたもので、特に、プッシュ動作をしない時は各カム部間の角度範囲のみ回転軸を回転させてスイッチングを行い、プッシュ動作時には自在に回転させてスイッチングを行うことができるようにしたプッシュロータリースイッチを提供することを目的とする。
【０００５】
【課題を解決するための手段】
本発明によるプッシュロータリースイッチは、ケースに回転自在に設けられた回転軸を回転することにより、前記ケース内に設けられた固定接片と前記回転軸に設けられた可動接片との接続を切り換えるようにしたロータリースイッチにおいて、前記回転軸に同軸配置され前記回転軸と共に回転すると共に軸方向には前記回転軸に対して相対移動する筒状副軸と、前記回転軸に対して筒状副軸を復帰させるためのばねと、前記筒状副軸の端部に形成された複数のカム部と、前記カム部と当接する固定配置のストッパとを備え、前記筒状副軸を押入しない状態では前記各カム部間の角度分のみ前記筒状副軸と共に前記回転軸が回転でき、前記筒状副軸を押入した状態では前記各カム部とストッパとの当接が解除されて前記筒状副軸と共に回転軸が回転できる構成である。
【０００６】
さらに詳細には、前記ストッパは前記ケースに設けられている構成である。
【０００７】
さらに詳細には、前記ケースに固定され他のスイッチと連結するための連結部材を有し、前記ストッパは前記連結部材に設けられている構成である。
【０００８】
【発明の実施の形態】
以下、図面と共に本発明によるプッシュロータリースイッチの好適な実施の形態について説明する。
図１から図３において符号１で示されるものは全体形状が丸カップ状をなすケースであり、このケース１の底部１ａに設けられた複数の固定接片２は端子としてケース１の外部に突出している。
前記ケース１は他のスイッチ（図示せず）を並設して連結させるための連結部材３に設けられており（連結部材３に設けられていない場合もある）、このケース１に回転自在に設けられた回転軸４は基板５の孔５ａを貫通して外部に突出している。
【０００９】
前記ケース１内に位置する回転軸４には、周知のように、図示しない可動接片を有する回転板が設けられ、この回転板を回転軸４によって回転することにより、各固定接片２に対する選択的スイッチングを周知のように行うことができるように構成されている。
前記連結部材３には棒状をなすストッパ６が設けられていると共に、前記回転軸４にはこの回転軸４よりも大径の筒形をなす筒状副軸７が配置されている。
この筒状副軸７と回転軸４の間にはばね８が介装されており、このばね８の作用により筒状副軸７は回転軸４に対して突出する方向に常時付勢され、この回転軸４と筒状副軸７とは例えば周知のセレーションを介して回転方向には共に回転し軸方向には相対移動できるように構成されている。
【００１０】
前記筒状副軸７の内側の端部には、この筒状副軸７の径よりも大径のカップ状をなす基板７ａが一体に形成され、この基板７ａの外周には山形状をなす複数のカム部７ｂが突出して形成されている。
【００１１】
次に動作について述べる。まず、図１は筒状副軸７を矢印Ａの方向に押入した状態を示しており、この状態ではカム部７ｂとストッパ６との当接は解除されているため、筒状副軸７と回転軸４は自在に回転することができ、前述のスイッチング動作を自在に行うことができる。また、前記筒状副軸７の押入を止めるとばね８の復帰力によってこの筒状副軸７が矢印Ｂで示す方向に移動し１点鎖線で示す位置となる。この位置では、カム部７ｂとストッパ６との当接状態は解除されており、例えば、このストッパ６が図２で示す各カム部７ｂ，７ｂ間に位置していたとすると、この各カム部７ｂ，７ｂ間の角度範囲においては筒状副軸７を押入しなくてもその範囲における前述のスイッチング動作ができる。また、角度範囲の狭い各カム部７ｂ，７ｂ間にストッパ６が位置している場合には回転軸４は殆ど回転することができず、スイッチング動作を行わないように設定することもできる。なお、各カム部７ｂの軸方向の厚さは、図１の構成に限ることなく、図３のように変形させて角度によりストッパ６と当接させる状態を変えることも可能である。
従って、筒状副軸７を矢印Ａ方向に押入しない状態下では、限られた角度範囲のスイッチング動作を行い、その後、筒状副軸７を矢印Ａ方向に押入した場合には自在な角度範囲におけるスイッチング動作を行うことができる。
【００１２】
【発明の効果】
本発明によるプッシュロータリースイッチは、以上のように構成されているため、次のような効果を得ることができる。すなわち、回転軸の筒状副軸を押入しない状態でもある角度範囲のスイッチング動作を行うことができ、押入した場合には自在な回転によるスイッチング動作を行うことができるため、従来と異なるスイッチングニーズに対応することができるものである。
【図面の簡単な説明】
【図１】本発明によるプッシュロータリースイッチを示す断面図である。
【図２】図１の要部を示す側面図である。
【図３】図１の要部の他例を示す断面図である。
【符号の説明】
１    ケース
２    固定接片
３    連結部材
４    回転軸
６    ストッパ
７    筒状副軸
７ｂ    カム部
８    ばね
【図１】
0003862806.tif 000002
【図２】
0003862806.tif 000003
【図３】
0003862806.tif 000004